(57)【要約】【課題】リモコンで人が浴室いるという在室判断や入浴経過時間等のモニタ情報をＬＥＤの点灯パターンでお知らせする場合、スイッチのＯＮ操作されたことによる点灯なのか、モニタ情報の変化による点灯なのか判断がしづらかった。【解決手段】複数の操作スイッチに設けられた発光体が点灯と消灯を行うことで複数のスイッチの動作状態を確認できるスイッチランプ１６及び２２と、発光体を複数連続して一列に並べて構成されたモニタ表示バー１７及び２３とを備えたリモコンであって、隣合う複数の操作スイッチを結んだ一の方向Ａと、前記モニタ表示バーの長手方向Ｂとが直交するように、複数の操作スイッチとモニタ表示バー１７及び２３とを配置したことで、位置関係がはっきりし、スイッチランプ１６及び２２とモニタ表示バー１７及び２３が同時に点灯しているときでもどの種類を報知しているのかを確認しやすく、視認性を向上させることができる。【選択図】図６
2019071519.tif 000002
【特許請求の範囲】
【請求項１】
隣合って配置された複数の操作スイッチと、前記複数のスイッチの操作内容や制御対象の住宅設備機器の動作状態を表示する表示部と、前記複数のスイッチの表面または近接して設けられた発光体が点灯と消灯を行うことで前記複数のスイッチの動作状態を確認できるスイッチランプと、発光体を複数連続して一列に並べて構成されたモニタ表示バーとを備えたリモコンであって、隣合う複数の前記操作スイッチを結んだ一の方向と、前記モニタ表示バーの長手方向とが直交するように、前記複数の操作スイッチと前記モニタ表示バーとを配置したことを特徴とするリモコン。
【請求項２】
前記リモコンは浴室に設けられ、前記浴室に設けられた前記リモコンは、室内における人の動きを検出する人感センサを備え、前記住宅設備機器には、浴槽の水位を検出する水位センサと、前記人感センサの検出値に基づいて浴室内における人の有無を判定する動き判定手段と、前記水位センサの検出値に基づいて浴槽内における人の有無を判定する入浴判定手段とを備え、前記動き判定手段と前記入浴判定手段の判定結果に応じて前記モニタ表示バーの発光パターンを変えたことを特徴とする請求項１記載のリモコン。
【発明の詳細な説明】
【技術分野】
【０００１】
本発明は、給湯機等の住宅設備機器を制御するリモコンに関するものである。
【背景技術】
【０００２】
従来より、特許文献１のような給湯機のリモコンは、各種スイッチが設けられており、各種スイッチにより設定された情報や、リモコンと有線もしくは無線で接続された給湯機本体から送信された情報を表示する表示部が備えられていた。
【０００３】
また、各種スイッチには、例えばＬＥＤ（発光ダイオード）等により形成されたＬＥＤランプを備え、スイッチがＯＮ操作された時は点灯し、ＯＦＦ操作された時は消灯して、人が遠くにいて表示部の確認ができない場合でも、ＬＥＤの点灯の状況を確認することでき、視認性を向上させるものがあった。
【先行技術文献】
【特許文献】
【０００４】
【特許文献１】特開２０１０−２３９４７６号公報（図４）
【発明の概要】
【発明が解決しようとする課題】
【０００５】
しかし、リモコンで人が浴室いるという在室判断や入浴経過時間等のモニタ情報をスイッチに備えられたＬＥＤランプの点灯パターンでお知らせする場合、特許文献１のようなものではスイッチのＯＮ操作されたことによる点灯なのか、モニタ情報の変化による点灯なのか判断がしづらく、使用者が誤認してしまう恐れがあった。
【課題を解決するための手段】
【０００６】
本発明は上記課題を解決するため、隣合って配置された複数の操作スイッチと、前記複数のスイッチの操作内容や制御対象の住宅設備機器の動作状態を表示する表示部と、前記複数のスイッチの表面または近接して設けられた発光体が点灯と消灯を行うことで前記複数のスイッチの動作状態を確認できるスイッチランプと、発光体を複数連続して一列に並べて構成されたモニタ表示バーとを備えたリモコンであって、隣合う複数の前記操作スイッチを結んだ一の方向と、前記モニタ表示バーの長手方向とが直交するように、前記複数の操作スイッチと前記モニタ表示バーとを配置した。
【０００７】
また、前記リモコンは浴室に設けられ、前記浴室に設けられた前記リモコンは、室内における人の動きを検出する人感センサを備え、前記住宅設備機器には、浴槽の水位を検出する水位センサと、前記人感センサの検出値に基づいて浴室内における人の有無を判定する動き判定手段と、前記水位センサの検出値に基づいて浴槽内における人の有無を判定する入浴判定手段とを備え、前記動き判定手段と前記入浴判定手段の判定結果に応じて前記モニタ表示バーの発光パターンを変えた。
【発明の効果】
【０００８】
このように本発明によれば、隣合う複数の操作スイッチを結んだ一の方向と、モニタ表示バーの長手方向とが直交するように配置されているので、位置関係がはっきりし、スイッチランプとモニタ表示バーが同時に点灯しているときでもどのような報知しているのかを確認しやすく、視認性を向上させることができる。
【図面の簡単な説明】
【０００９】
【図１】この発明の第１の実施例の概略説明図
【図２】この発明の風呂リモコンの正面図
【図３】この発明の台所リモコンの正面図
【図４】この発明の入室判定及び入浴判定のフロー図
【図５】この発明の入浴判定後の見まもり運転のフロー図
【図６】この発明のモニタ表示バーの発光パターンを表す図
【発明を実施するための形態】
【００１０】
本発明の住宅設備機器のリモコンの第１実施例を図１に基づいて説明する。
１は給湯機本体等の住宅設備機器、２は屋内の浴室、３は浴室２内に設けられた住宅設備機器の浴室リモコン、４は風呂リモコンの制御を行っている風呂マイコン、５は浴室外に設けられた台所リモコン、６は台所リモコンの制御を行っている台所マイコン、７は住宅設備機器の本体制御装置、８は本体制御装置５と浴室リモコン３のマイコン４と台所リモコン５のマイコン６を通信可能に接続する通信ケーブル、９は住宅設備機器１と浴室２内の浴槽とをつなぐ浴槽配管である。
【００１１】
１０は湯水の水圧から浴槽内の水位を検出する水位センサであり、具体的に本体制御装置７は人が浴槽内に入浴または浴槽外に出たときの出浴で生じる圧力変化を水位センサ１０で検出し、検出結果に基づいて、浴槽に人が入浴したのか、または、浴槽から人が出浴したのかを判定している。
【００１２】
次に浴室リモコン３の詳しい説明を図２に基づいて説明する。
１１は後述する風呂自動運転を開始させる風呂自動スイッチ、１２は台所リモコン５と有線あるいは無線で通信をして、会話することができる通話スイッチ、１３はその他追い焚き運転や浴室優先等を指示する各種スイッチ、１４はスイッチの操作内容や給湯機の動作状態を表示するモニター等の表示部、１５は浴室内における人の有無を検出する人感センサである。
【００１３】
人感センサ１５は、検出エリア内の熱源の温度変化量を検出する焦電センサであり、浴室に人がいることを検出する。具体的には、人感センサ１５は、人が移動したときや手足などを動かすことによる検出エリアの温度変化を検出することにより、浴室内に人が在室しているか否かを検出するものであり、人感センサ１５の検出結果に基づいて、制御装置７で浴室内への入室と浴室外への退室との判定を行う。また、人が移動したときや手足などを動かすことによる検出エリアの温度変化を検出しているので、入室判定だけでなく人の動き判定を行うこともできる。
【００１４】
１６はＬＥＤ（発光ダイオード）等により形成された発光体を用いて、スイッチの点灯及び点滅、消灯を行うことができるスイッチランプである。これによりリモコンからはなれて表示部１４が見えない位置からでもランプの光で確認することで、在室判断や運転状況をスイッチランプであり、それぞれのスイッチごとに、スイッチ操作がされて、オン動作になったときにはスイッチランプ１６の点灯（又は点滅）表示が行われ、オフ動作になったときにはスイッチランプ１６は消灯されるように構成されている。
【００１５】
このスイッチランプ１６は、各スイッチに設けられ、隣合う各スイッチのスイッチランプ１６を結んだ一の方向をＡとする。
【００１６】
１７はリモコンの表示部１４の下を水平に設け、ＬＥＤ（発光ダイオード）等を複数連続して一列に並べて構成されたモニタ表示バーであり、それぞれのＬＥＤが別々に点灯もしくは点滅、消灯が行えるものである。
【００１７】
また、ＬＥＤ（発光ダイオード）等を複数連続して一列に並べて構成されたモニタ表示バー１７の長手方向をＢとする。
【００１８】
また、ＬＥＤの発光色も複数の色（例えば白、青、赤）を使い分けることで、用途に応じた報知を行うことができる。さらに設定された時間毎（例えば１０分刻み）に応じて、点灯と消灯を切り替えることで、残り時間の報知や使用経過時間の報知、貯湯タンクの残湯量に応じたシャワーの可能時間の報知も行うことができる。
【００１９】
そして、この隣合うスイッチのスイッチランプ１６を結んだ一の方向Ａと、ＬＥＤ（発光ダイオード）等を複数連続して一列に並べて構成されたモニタ表示バー１７長手方向とが直交するように、複数の操作スイッチとモニタ表示バー１７とを配置されている。
【００２０】
このように、複数のスイッチランプ１６を結んだ一の方向Ａとモニタ表示バー１７からなる長手方向Ｂは直交するように隣合う各スイッチのスイッチランプ１６とモニタ表示バー１７とを配置しているので、発光体の位置関係がはっきりし、スイッチランプ１６とモニタ表示バー１７の点灯による発光パターンで人に動作状態や在室判定等を報知するとき、スイッチランプ１６とモニタ表示バー１７が同時に点灯しているときでもどのような報知しているのかを確認しやすく、視認性を向上させることができる。
【００２１】
次に台所リモコン５の詳しい説明を図３に基づいて説明する。
１７は後述する風呂自動運転を開始させる風呂自動スイッチ、１８は台所リモコン５と有線あるいは無線で通信をして、会話することができる通話スイッチ、１９はその他追い焚き運転や浴室優先等を指示する各種スイッチ、２０はスイッチの操作内容や給湯機の動作状態を表示するモニター等の表示手段、２１はスイッチランプ、２２はモニタ表示バーである。
【００２２】
台所リモコン５の説明は、風呂リモコン３で説明した名称と同じ名称の機具である場合は説明を省略する。
【００２３】
また、本体制御装置７には、人感センサ１５の検出結果に応じて人が浴室内に入室したのか、人が浴室外に退出したのかを判定すると共に、人が浴室内で動いているかを判定する動き判定手段２３と、水位センサ１０の検出結果に応じて人が風呂に入浴したのか、風呂から出浴したのかを判定する入浴判定手段２４と、後述する見まもり運転の設定がされている場合、入浴判定手段２４が入浴と判定してからの時間を計測すると共に、予め設定された入浴に適した時間である設定入浴時間（ここでは１０分）経過後に、人の動きが検出されていない継続時間を計測するタイマー手段２５を設けている。
【００２４】
次に図４のフローチャートに基づいて入室判定と入浴判定について説明する。
まず、湯張り運転が完了したあと、本体制御装置７は、人感センサ１５が浴室内に人の動きを検出し、人感センサ１５の検出結果に基づいて動き判定手段２４が入室ありと判定すると（Ｓ１がＹｅｓ）、本体制御装置７は、入室フラグ：Ｆ１＝１と記憶する（Ｓ２）。
【００２５】
そのまま、入浴判定手段２５が入浴と判定せずに、動き判定手段２４が浴室から人が退室したと判定すると（Ｓ３がＹｅｓ）、本体制御装置７は、入室フラグ：Ｆ１＝０と記憶する（Ｓ４）。
【００２６】
また、動き判定手段２４が退室と判定せずに（Ｓ３がＮｏ）、本体制御装置７が入浴と判定すると（Ｓ５がＹｅｓ）、本体制御装置７は、入室フラグ：Ｆ１＝１かつ入浴フラグ：Ｆ２＝１と記憶する（Ｓ６）。
【００２７】
そして、入浴判定手段２５が出浴と判定すると（Ｓ７がＹｅｓ）、本体制御装置７は、入浴フラグ：Ｆ２＝０と記憶する（Ｓ８）。
【００２８】
その後、動き判定手段２４が浴室から人が退室したと判定すると（Ｓ９がＹｅｓ）本体制御装置７は入室フラグ：Ｆ１＝０かつ入浴フラグ：Ｆ２＝０と記憶し（Ｓ１０）、Ｓ１へ戻る。そして、同様の動作を繰り返す。この繰り返し動作は、湯張り完了後から所定期間（ここでは３時間）の間または風呂リモコン３および台所リモコン５の電源が切られるまで継続する。
【００２９】
次に、入浴判定を行ってからの出浴判定を行うまでに発生する入浴事故を防ぐための見まもり運転について図５のフローチャートに基づいて説明する。
入浴判定手段２５は、水位センサ１０の検出結果から入浴したと判定されると、タイマー手段２６によるカウントを開始し（Ｓ１１）、設定入浴時間（ここでは１０分）が経過した場合は（Ｓ１３がＹｅｓ）、本体制御装置７は風呂リモコン３に内蔵されたスピーカ及び表示部１４で、出浴を促す報知を行う（Ｓ１４）。
【００３０】
また、設定入浴時間が経過する前に、水位センサ１０の検出結果から出浴したと判定がされた場合は（Ｓ１２がＹｅｓ）、タイマーカウントを終了する（Ｓ１５）。
【００３１】
さらに、出浴を促す報知後、人感センサ１５で浴室内の動きが検知されない場合（Ｓ１６がＹｅｓ）、タイマー手段２６は危険報知カウントを開始する（Ｓ１７）。
【００３２】
そして、人感センサ１５で浴室内の動きが検知されない時間が続き、危険報知カウントが所定危険報知時間（ここでは３分）に達したら（Ｓ１８）、危険報知を行う（Ｓ１９）。
【００３３】
また、人感センサ１５で浴室内の動きが検知された場合は（Ｓ１６がＮｏ）、その人の動きは出浴したのか浴槽内で身体が動いただけなのかを水位センサ１０で水位差を検出し、入浴判定手段２５で判定する（Ｓ２０）。
判定の結果、入浴判定手段２５が出浴したと判定すると（Ｓ２０がＹｅｓ）、危険報知タイマーを終了して（Ｓ２２）、見まもり運転を完了する。
【００３４】
また、出浴ではなく、浴槽内で身体を動かしただけであれば（Ｓ２０がＮｏ）、危険報知カウントを一度リセットして（Ｓ２１）、Ｓ１６に戻る。
【００３５】
また、この危険報知の繰り返し動作を入浴した人が出浴するか、見まもり運転の設定をＯＦＦにするまで継続する。
【００３６】
次に、見まもり運転時のモニタ表示バー１７及び２３の発光パターンについて図６に基づいて詳しく説明する。
ＬＥＤを水平方向に５つ設けたモニタ表示バー１７及び２３である場合、動き判定手段２４が浴室内に人が入室したことを動き判定手段２４で判定すると、モニタ表示バー１７及び２３の中央のＬＥＤが点灯し、図６のＡ群のようになり、リモコン付近にいる人に報知を行うことで浴室内に人が入室したことを知ることができる。
【００３７】
その後、入浴判定手段２５が入浴したと判定すると、モニタ表示バー１７及び２３の中央の両隣のＬＥＤが点灯し、図６のＢ群のようになり、リモコン付近にいる人に報知を行うことで浴槽内に人が入浴したことを知ることができる。
【００３８】
このとき、設定入浴時間を５本分として２分おきに左から徐々に点灯していくような構成でもよく、この構成によれば、入浴中に風呂リモコン３のモニタ表示バー１７及び２３の目盛りをみることで、残りの入浴時間を正確に知ることができる。
【００３９】
そして、設定入浴時間に達すると、風呂リモコン４のモニタ表示バー１７及び２３の全体が一斉に同じ間隔で点滅し、図６のＣ群のようになり、少なくとも一定時間この報知を続けることで、入浴している人に設定入浴時間に達したことをわかりやすく報知することができる。
【００４０】
さらに、一定時間経過しても入浴中の人に動きがないことをカウントするタイマー手段２６が、所定危険報知時間（ここでは３分）に達すると、図６のＤ群のようにモニタ表示バー１７及び２３の右端と左端を点滅させることで、台所リモコン５及び風呂リモコン３の危険報知を視認した人がすぐに浴室２に出向き、溺死や心臓麻痺等の入浴事故にいち早く気づくことができるので、正確な入浴事故防止を行うことができる。
【００４１】
なお、本発明は実施形態に限定されるものではなく、要旨を変更しない範囲で改変することを妨げるものではなく、例えば、スイッチランプ１６及び２２やモニタ表示バー１７及び２３による発光色を増やすことで、より細かな報知を行うことができる。また、見まもり運転の危険報知のときに危険性を表現する赤色の発光色を使用することで、赤色の発光色を視認した人が緊急であることを理解しやすくすることができる。
【００４２】
また、点滅や点灯など、設定入浴時間や所定危険報知時間などを実施例で記載していることに限定されるものではなく、要旨を変更しない範囲で改変することを妨げるものではく、適宜変更できるものである。
【符号の説明】
【００４３】
１      住宅設備機器
２      浴室
３      風呂リモコン
５      台所リモコン
７      本体制御装置
１０    水位センサ
１１    風呂自動スイッチ
１２    通話スイッチ
１４    表示部
１５    人感センサ
１６    スイッチランプ
１７    モニタ表示バー
Ａ      一の方向
Ｂ      長手方向
１８    風呂自動スイッチ
１９    通話スイッチ
２１    表示部
２２    スイッチランプ
２３    モニタ表示バー
２４    動き判定手段
２５    入浴判定手段
２６    タイマー手段
【図１】
2019071519.tif 000003
【図２】
2019071519.tif 000004
【図３】
2019071519.tif 000005
【図４】
2019071519.tif 000006
【図５】
2019071519.tif 000007
【図６】
2019071519.tif 000008